(57)【要約】携帯電話またはPDA等のモバイル機器に広告を提供する方法が提供される。広告は、GSM、WLAN、Bluetooth、または赤外線を含む、機器が接続されるネットワークを介して機器にダウンロードされる。広告は、選択される機器の機能に依存し、例えば、メディアプレーヤが選択される場合、DVD/CDの販売に関する広告が、メニュー上のアイコンとして表示されてもよく、また、アイコンまたは関連付けられるボタンをユーザが押す場合、広告のさらなる詳細が示される。【選択図】図１
2010507815.tif 000002
【特許請求の範囲】
【請求項１】
少なくとも１つのユーザインターフェース特徴をディスプレイ上に表示することと、
少なくとも１つの広告に関連する少なくとも第１の情報を受信することと、
前記少なくとも１つのユーザインターフェース特徴が前記ディスプレイ上で可視的である場合に、前記少なくとも１つのユーザインターフェース特徴のうちの少なくとも１つの代わりに、前記少なくとも１つの広告に関連する前記少なくとも第１の情報を表示することと、
を含む、方法。
【請求項２】
前記少なくとも１つの広告に関連する少なくとも第２の情報を受信することをさらに含む、請求項１に記載の方法。
【請求項３】
前記第１および第２の情報は同時に受信される、請求項２に記載の方法。
【請求項４】
前記第２の情報は、前記第１の情報がユーザによって選択される場合に表示される、請求項２に記載の方法。
【請求項５】
前記第２の情報は、前記第１の情報の代わりに表示される、請求項４に記載の方法。
【請求項６】
前記第２の情報は、前記第１の情報とは独立して表示される、請求項４に記載の方法。
【請求項７】
前記少なくとも第１の情報のコンテクストを前記少なくとも１つのユーザインターフェース特徴のコンテクストに一致させることをさらに含み、前記少なくとも第１の情報は、前記一致する少なくとも１つのユーザインターフェース特徴の代わりに表示される、請求項１に記載の方法。
【請求項８】
前記少なくとも１つのユーザインターフェース特徴は、アイコン、テキスト、グラフィックス、または記号を含む、請求項１に記載の方法。
【請求項９】
前記少なくとも第１の情報は、インターネットまたはデジタル通信ネットワークを通して受信される、請求項１に記載の方法。
【請求項１０】
前記少なくとも１つの広告に関連する前記第１の情報または第２の情報を、少なくとも１つの所定の期間の間表示することをさらに含み、その少なくとも１つの所定期間の間、ユーザは、前記少なくとも１つの広告に関連する情報を要求することができる、請求項１に記載の方法。
【請求項１１】
前記少なくとも１つの所定の期間が終了した後に、いかなる広告も含まないユーザインターフェースを表示することをさらに含む、請求項１０に記載の方法。
【請求項１２】
前記機器はモバイル通信端末である、請求項１に記載の方法。
【請求項１３】
前記少なくとも１つのユーザインターフェース特徴がユーザによって選択される場合に、前記少なくとも１つのユーザインターフェース特徴のうちの少なくとも１つの代わりに、前記少なくとも１つの広告に関連する前記少なくとも第１の情報を表示することをさらに含む、請求項１に記載の方法。
【請求項１４】
少なくとも１つのユーザインターフェース特徴を表示するように構成されるディスプレイと、
少なくとも１つの広告に関連する少なくとも第１の情報を受信するように構成される受信機と、
前記少なくとも１つのユーザインターフェース特徴が前記ディスプレイ上で可視的である場合に、前記少なくとも１つのユーザインターフェース特徴のうちの少なくとも１つの代わりに、前記少なくとも１つの広告に関連する前記少なくとも第１の情報を表示するように構成されるプロセッサと、
を備える、装置。
【請求項１５】
前記受信機は、前記少なくとも１つの広告に関連する少なくとも第２の情報を受信するようにさらに構成される、請求項１４に記載の装置。
【請求項１６】
前記第１および第２の情報は同時に受信される、請求項１５に記載の装置。
【請求項１７】
前記第２の情報は、前記第１の情報がユーザによって選択される場合に表示される、請求項１５に記載の装置。
【請求項１８】
前記第２の情報は、前記第１の情報の代わりに表示される、請求項１７記載の装置。
【請求項１９】
前記第２の情報は、前記第１の情報とは独立して表示される、請求項１７に記載の装置。
【請求項２０】
前記プロセッサは、前記少なくとも第１の情報のコンテクストを前記少なくとも１つのユーザインターフェース特徴のコンテクストに一致させるようにさらに構成され、前記少なくとも第１の情報は、前記一致する少なくとも１つのユーザインターフェース特徴の代わりに表示される、請求項１４に記載の装置。
【請求項２１】
前記少なくとも１つのユーザインターフェース特徴は、アイコン、テキスト、グラフィックス、または記号を含む、請求項１４に記載の装置。
【請求項２２】
前記少なくとも第１の情報は、インターネットまたはデジタル通信ネットワークを通して受信される、請求項１４に記載の装置。
【請求項２３】
前記プロセッサは、前記少なくとも１つの広告に関連する前記第１の情報または第２の情報を、少なくとも１つの所定の期間の間表示するように構成され、その少なくとも１つの所定期間の間、ユーザは、前記少なくとも１つの広告に関連する情報を要求することができる、請求項１４に記載の装置。
【請求項２４】
前記少なくとも１つの所定の期間が終了した後に、いかなる広告も含まないユーザインターフェースを表示することをさらに含む、請求項２３に記載の装置。
【請求項２５】
前記機器は、モバイル通信端末である、請求項１４に記載の装置。
【請求項２６】
前記プロセッサは、前記少なくとも１つのユーザインターフェース特徴がユーザによって選択される場合に、前記少なくとも１つのユーザインターフェース特徴のうちの少なくとも１つの代わりに、前記少なくとも１つの広告に関連する前記少なくとも第１の情報を表示するようにさらに構成される、請求項１４に記載の装置。
【請求項２７】
少なくとも１つの広告に関連する少なくとも第１の情報をコンピュータに表示させるコンピュータ可読コード手段が内部に組み込まれる、コンピュータにより使用可能な媒体であって、前記コンピュータ可読コード手段が、
ディスプレイ上に少なくとも１つのユーザインターフェース特徴をコンピュータに表示させるコンピュータ可読コード手段と、
少なくとも１つの広告に関連する少なくとも第１の情報を、コンピュータに受信させるコンピュータ可読コード手段と、
前記少なくとも１つのユーザインターフェース特徴が前記ディスプレイ上で可視的である場合に、前記少なくとも１つのユーザインターフェース特徴のうちの少なくとも１つの代わりに、前記少なくとも１つの広告に関連する前記少なくとも第１の情報を、コンピュータに表示させるコンピュータ可読コード手段と、
を含む、コンピュータにより使用可能な媒体を備える、コンピュータプログラム製品。
【発明の詳細な説明】
【技術分野】
【０００１】
本実施形態は、広告に関し、より具体的には、モバイル機器における広告に関する。
【背景】
【０００２】
例えば、ショートメッセージサービス（Short Message Service; SMS）またはマルチメディアメッセージサービス（Multimedia Message Service; MMS）メッセージ等の広告を、モバイル通信端末等のモバイル機器に送信することができる。ネットワークのオペレータまたは広告主は、返信電話番号や転送ウェブリンクをメッセージに含めることにより、広告が開かれた場合にユーザがその広告に応答できるようにする。しかしながら、広告が、SMS、MMS、またはその他の種類のメッセージを介してモバイル機器に送信される場合に、機器のユーザが広告を読むという保証はなく、または広告を見るという保証さえない。また、電話番号や転送ウェブリンクがメッセージに付加されているにもかかわらず、SMS及びMMS広告メッセージとユーザとの間のやり取りはほとんど無い。
【０００３】
機器のディスプレイ上の背景として、またはスクリーンセーバとしてディスプレイにダウンロードされる広告も知られているが、広くは普及していない。
【０００４】
モバイル機器の通常の動作中に、広告の提示によってユーザが悩まされることのないように、広告をユーザに提示するように広告を表示する必要がある。
【概要】
【０００５】
一実施形態により、次のような方法が提供される。この方法は、少なくとも１つのユーザインターフェース特徴をディスプレイ上に表示することと、少なくとも１つの広告に関連する少なくとも第１の情報を受信することと、前記少なくとも１つのユーザインターフェース特徴が前記ディスプレイ上で可視的である場合に、前記少なくとも１つのユーザインターフェース特徴のうちの少なくとも１つの代わりに、前記少なくとも１つの広告に関連する前記少なくとも第１の情報を表示することと、を含む。
【０００６】
別の実施形態により、次のような装置が提供される。この装置は、少なくとも1つのユーザインターフェース特徴を表示するように構成されるディスプレイと、少なくとも1つの広告に関連する少なくとも第1の情報を受信するように構成される受信機と、前記少なくとも1つのユーザインターフェース特徴が前記ディスプレイ上で可視的である場合に、前記少なくとも1つのユーザインターフェース特徴のうちの少なくとも1つの代わりに、前記少なくとも1つの広告に関連する前記少なくとも第1の情報を表示するように構成されるプロセッサと、を含む。
【０００７】
別の実施形態により、次のようなコンピュータプログラム製品が提供される。前記コンピュータプログラム製品は、少なくとも１つの広告に関連する少なくとも第１の情報をコンピュータに表示させるための、コンピュータ可読コード手段が内部に組み込まれるコンピュータにより使用可能な媒体を含む。コンピュータ可読コード手段は、ディスプレイ上に少なくとも１つのユーザインターフェース特徴をコンピュータに表示させるコンピュータ可読コード手段と、少なくとも１つの広告に関連する少なくとも第１の情報を、コンピュータに受信させるコンピュータ可読コード手段と、前記少なくとも１つのユーザインターフェース特徴が前記ディスプレイ上で可視的である場合に、前記少なくとも１つのユーザインターフェース特徴のうちの少なくとも１つの代わりに、前記少なくとも１つの広告に関連する前記少なくとも第１の情報を、コンピュータに表示させるコンピュータ可読コード手段と、を含む。
【図面の簡単な説明】
【０００８】
添付の図面を併用して、本実施形態の前述の側面およびその他の特徴について、以下の記載において説明する。
【０００９】
【図１】本発明のある側面が適用されうる例としての通信システムの略図を示す。
【００１０】
【図２】ある実施形態の特徴を内蔵する機器を示す。
【００１１】
【図３】ある実施形態の特徴を内蔵する別の機器を示す。
【００１２】
【図４】ある実施形態の特徴を内蔵するさらに別の機器を示す。
【００１３】
【図５】ある実施形態に従う広告を示す。
【００１４】
【図６】ある実施形態に従うフロー図を示す。
【００１５】
【図７】ある実施形態に従う表を示す。
【００１６】
【図８Ａ】ある実施形態に従う機器の特徴の略図を示す。
【００１７】
【図８Ｂ】ある実施形態に従うフロー図を示す。
【００１８】
【図９】ある実施形態に従うメッセージの略図を示す。
【００１９】
【図１０】本発明のある側面の実行に使用されうる本発明の側面の特徴を内蔵する典型的な装置の一実施形態に関するブロック図を示す。
【実施例の詳細な説明】
【００２０】
図1は、一例として、実施形態の特徴を内蔵する通信機器100が適用されうる環境の遠距離通信システムに関する略図である。本発明の側面は、図示され、かつ後述される実施形態に関して記載されるが、これらの側面は、実施形態の多数の代替形式において具現化し得ることが理解されたい。さらに、任意の適切なサイズ、形状、または型の要素または材料を使用してもよい。
【００２１】
世界中のモバイル通信機器は、これまで増加を続けている。したがって、モバイル通信機器は、広告会社およびその同等物等の任意の適切な会社に、様々な個人に情報を提示する重要な機会を提供している。任意の適切なメッセージまたは広告データ（すなわち、広告）は、例えば、別のモバイル機器、ローカル機器、またはインターネットサーバもしくはインターネットクライアント等の任意の適切な通信インターフェースからモバイル通信機器に送信されうる。広告は、例えば、販売品または販売サービス、いかなる種類の勧誘にも関連しない情報、会議時間、公共広告、雇用機会、およびその同等物等の任意の適切な情報コンテンツを含んでもよい。広告は、商品、サービス、およびその同等物のための広告等の任意の適切な広告であってもよい。機器のユーザを妨害しないように、モバイル機器のユーザに広告を提供するためのモバイル通信機器および方法を提供することが有利であり得る。また、ユーザが、提示中の情報に興味を持つように広告情報を表示することによって、広告の効率を高めることも有利であり得る。
【００２２】
図1の遠距離通信システムにおいて、セルラ音声通話、wwwやwapの閲覧、セルラ映像通話、データ通話、ファックス伝送、音楽伝送、静止画像伝送、映像伝送、電子メッセージ伝送、および電子商取引等の、種々の遠距離通信サービスは、モバイル端末100と、別のモバイル端末106、固定電話機132、またはインターネットサーバ122等のその他の機器との間で実行されてもよい。モバイル端末100の様々な実施形態について、および様々な状況において、上述された遠距離通信サービスのうちのあるサービスが、利用可能または利用不可能であり得ることに留意されたい。本発明の側面は、この点において、任意の特定の組のサービスにも限定されない。
【００２３】
モバイル端末100、106は、基地局104、109を介して、無線周波数（Radio Frequency; RF）リンク102、108を通って、移動遠距離通信ネットワーク110に接続されてもよい。移動遠距離通信ネットワーク110は、GSM、UMTS、D-AMPS、CDMA2000、FOMA、およびTD-SCDMA等の市販の任意の移動遠距離通信規格に準拠してもよい。
【００２４】
移動遠距離通信ネットワーク110は、広域ネットワーク120と協働しうるように接続されてもよく、この広域ネットワーク120は、インターネットまたはその一部であってもよい。インターネットサーバ122は、データストレージ124を有し、また、広域ネットワーク120に接続され、インターネットクライアントコンピュータ126も同様に接続される。サーバ122は、www/wapコンテンツをモバイル端末100に供給可能なwww/wapサーバを提供してもよい。
【００２５】
例えば、公衆交換電話網（Public Switched Telephone Network; PSTN）130は、一般的な方式で移動遠距離通信ネットワーク110に接続されてもよい。固定電話機132を含む種々の電話機端末は、PSTN130に接続されてもよい。
【００２６】
また、モバイル端末100は、ローカルリンク101を介して1つ以上のローカル機器103に局所的に通信することも可能である。ローカルリンク101は、例えば、Bluetooth、ユニバーサルシリアルバス（Universal Serial Bus; USB）リンク、無線ユニバーサルシリアルバス（Wireless Universal Serial Bus; WUSB）リンク、IEEE 802.11無線ローカルエリアネットワーク（Wireless Local Area Network; WLAN）リンク、RS-232シリアルリンク等の制限範囲を有する任意の適切な種類のリンクであってもよい。ローカル機器103は、例えば、ローカルリンク101上で、測定値をモバイル端末100に通信可能である種々のセンサであることが可能である。上の例は、制限的であるように意図されず、任意の適切な種類のリンクを利用してもよい。ローカル機器103は、アンテナであってもよく、また、マクロウェーブアクセスのためのワールドワイド相互運用（Worldwide Interoperability for Microwave Access; WiMAX, IEEE 802.16）、WiFi（IEEE 802.11x）、またはその他の通信プロトコルを実行するWLANを形成する支援設備であってもよい。WLANは、インターネットに接続されてもよい。したがって、モバイル端末100は、モバイル通信ネットワーク110、WLAN、またはその両方を使用して、無線接続するマルチ無線能力を有することができる。また、移動遠距離通信ネットワーク110との通信は、WiFi、WiMax、または任意のその他の適切なプロトコルを使用して実行されてもよく、また、このような通信は、無線スペクトルにおける認可の必要がない部分（例えば無認可モバイルアクセス（Unlicensed Mobile Access; UMA））を利用してもよい。
【００２７】
端末100の一例について、図2により詳細に示す。端末またはモバイル通信機器200は、キーパッド210およびディスプレイ220を有してもよい。キーパッド210は、例えば、多機能/スクロールキー230、ソフトキー231、232、通話キー233、および通話終了キー234、ならびにアルファベットキー235等の任意の適切なユーザ入力機器を含んでもよい。ディスプレイ220は、例えば、タッチスクリーンディスプレイまたはグラフィカルユーザインターフェース等の任意の適切なディスプレイであってもよい。ディスプレイは、機器200に一体型であってもよく、またはディスプレイは、機器200に接続される周辺ディスプレイであってもよい。例えば、スタイラス、ペン、または単にユーザの指等の位置決め機器を、ディスプレイ220とともに使用してもよい。代替実施形態において、任意の適切な位置決め機器を使用してもよい。その他の代替実施形態において、ディスプレイは、従来のディスプレイであってもよい。また、機器200は、例えば、カメラ、拡声器、接続ポート、または触覚フィードバック特徴等のその他の適切な特徴も含んでもよい。モバイル通信機器は、ユーザ入力を処理するため、およびディスプレイ220上に情報を表示するための、ディスプレイに接続されるプロセッサ240を有してもよい。メモリ250は、任意の適切な情報および/または電話帳エントリ、カレンダエントリ等の、モバイル通信機器200に関連付けられるアプリケーションを格納するために、プロセッサ240に接続されてもよい。
【００２８】
一例において、機器100は、例えば、図3に示されるPDA型機器300であってもよい。PDA300は、キーパッド320、タッチスクリーンディスプレイ310、およびタッチスクリーンディスプレイ310上で使用するための位置決め機器330を有してもよい。さらにその他の代替実施形態において、機器は、パーソナルコミュニケータ、タブレットコンピュータ、ノート型もしくはデスクトップ型コンピュータ、テレビもしくはテレビセットトップボックス、またはディスプレイ220ならびにプロセッサ240およびメモリ250等の支援電子機器を含むことが可能なその他の任意の適切な機器であってもよい。本明細書に記載の実施形態は、例示的目的のみのために、モバイル通信機器100に関して記載されており、ディスプレイ、プロセッサ、メモリ、および支援ソフトウェアまたはハードウェアを内蔵する任意の適切な機器に同等に適用されうることを理解されたい。
【００２９】
次に、図4を参照すると、モバイル通信機器または端末400が示されている。モバイル端末400は、上述の機器100、200に実質的に類似してもよく、ディスプレイ420およびキーパッド410を含んでもよい。キーパッド410は、例えば、ソフトキー431、432、通話キー433および通話終了キー434、ならびにアルファベットキー等の、任意の適切なユーザ入力機器を含んでもよい。任意の適切なディスプレイ画面は、ディスプレイ420上に提示されてもよい。本例において、ユーザインターフェースは、時刻465、信号およびバッテリ強度インジゲータ466、スライドバー468、ソフトキー機能470、およびモバイル端末のアプリケーションまたは機能（例えば、音楽プレーヤ、インターネット、テレビ、カレンダー等）へのアイコンまたはリンク450を含む。その他の代替実施形態において、ディスプレイ画面の特徴は、図面に示される特徴よりも多くても少なくてもよい。その他の代替実施形態において、ディスプレイ画面は、任意の適切な特徴を有してもよい。
【００３０】
モバイル機器400は、上述の任意の適切なソースから、（1つまたは複数の）広告に関する任意の適切な情報を受信するように構成されてもよい。モバイル端末400は、例えば、セルラプロトコル、インターネットプロトコル、SMS、MMS、Bluetooth、赤外線、映像、デジタルやアナログ等の、任意の適切な通信プロトコルを通して、広告情報または広告情報の一部を受信またはダウンロード460するように構成されてもよい。（1つまたは複数の）広告に関連する情報は、ディスプレイ420上に位置するアイコン、テキスト、グラフィック、または記号上、ディスプレイ420の背景において、およびその同等物を含むがこれらに限定されないディスプレイ420の任意の適切な領域において表示されてもよい。広告に関連する情報は、識別子またはインジゲータ、広告自体、アイコンまたはテキスト上の情報を含んでもよいがこれらに限定されず、該当する場合、広告は、ディスプレイ上で置換され、その時間の間、広告は、ディスプレイ上において可視的である。広告情報の表示に関する例は、以下により詳細に記載される。
【００３１】
モバイル端末400は、任意の適切な時間に広告情報を受信またはダウンロードするように構成されてもよい。端末400が広告情報を受信またはダウンロードする時間に関する例には、端末の使用中またはアイドル状態時、端末のアクティブ状態時（例えば、使用中）、または端末のユーザからの要求時が含まれる。が、これらに限定されないことに留意されたい。また、モバイル端末400は、後で検索するため、およびモバイル端末400のユーザに後で提示するため、任意の適切な数のダウンロード広告をモバイル端末400のメモリ250に格納するように構成されてもよい（ブロック640、図8B）。
【００３２】
一実施形態において、広告情報の少なくとも一部または広告情報のインジケータが機器にダウンロードされる。ディスプレイおよびキーの背景照明を使用して、モバイル端末400において広告情報が受信されたことをユーザに報告することが可能である。別の実施形態において、例えば、モバイル端末のキーパッド410上のキーの背面照明等の背景照明は、モバイル端末が非アクティブ状態である間に停止されてもよく、部分モードの広告が提示される。さらに別の実施形態において、背景照明は、広告が受信されて、ディスプレイ420に示されるアイコンまたはテキスト上に表示中であることを示すために、所定の時間の間作動または点滅してもよい。代替実施形態において、オーディオインジゲータが、モバイル端末における広告における受信をユーザに警告するために音を出してもよい。
【００３３】
広告の一部または広告に関連する記述的側面（例えば、広告インジケータ）を、ユーザに表示または提示することが可能である。例えば、ある実施形態において、広告メッセージは、任意の適切な時間に端末400にダウンロードされる。広告情報のインジケータは、図5に示されるようにユーザに表示されてもよい。代替実施形態において、例えば、より完全版の広告等の、広告に関連する任意の適切なコンテンツがユーザに表示されてもよい。例えば、記述的側面または広告情報の一部の等の広告コンテンツは、テキスト、グラフィック、アニメーション、記号、または広告情報に関連するその他の任意の適切なインジケータを含んでもよい。代替実施形態において、端末にダウンロードされたインジケータが選択される場合に、完全版の広告がダウンロードされるように、当該インジケータがダウンロードされてもよい。
【００３４】
端末400は、ユーザに提示するために受信またはダウンロードされた広告情報を処理するための、任意の適切なハードウェアまたはソフトウェアを含んでもよい。一実施形態において、プロセッサ240は、ダウンロードされた広告情報を処理し、端末400上で表示するために、例えば、広告メッセージの任意の適切な部分（例えば、メッセージヘッダ、メッセージの本文等）から情報を抽出してもよい。一実施形態において、インジケータまたはより完全版の広告等の広告情報は、端末400によって、例えば、ディスプレイ420上に提示されるユーザインターフェースの可視特徴において、状態バー上で、ソフトキー機能として、およびその同等物等の、ディスプレイの任意の適切な領域に表示されてもよい。図5に示す例において、広告569のインジケータは、アイコン469の上またはアイコン469に代わって示される。追加の広告情報590は、機器の任意の適切なキー、位置決め機器、ユーザの指等を介して、広告情報569を選択することによってユーザに提示されてもよい。追加の広告情報590は、例えば、アイコン469上で追加の広告情報を示すことによって、またはディスプレイ420に示される異なる画面に追加の広告情報を提供することによって、任意の適切な方式でユーザに提示されてもよい。また、図5に示される別の例において、広告情報580は、ディスプレイ420に表示されるテキスト401上に示される。代替実施形態において、広告情報は、ディスプレイ上の任意の適切な位置に示されてもよい。その他の代替実施形態において、広告情報は、例えば、ディスプレイ上に示されないアイコンまたはテキストと関連付けられてもよい。広告情報は、関連付けられるアイコンまたはテキストがディスプレイに現れる時に、ユーザに提示されてもよい。例えば、アイコンまたはテキストは、ディスプレイ上に現れてもよい（ブロック500、図6）。端末400のユーザは、可視アイコンを選択して（ブロック501、図6）、広告が、可視アイコンの代わりに表示されるようにする（ブロック502、図6）。一実施形態において、広告がアイコンの代わりに示されても、アイコンの機能は、端末400の使用を妨害しないように保持されうる。その他の実施形態において、広告を選択することによって、表示される広告に関連するさらなる情報が発生してもよい。
【００３５】
別の実施形態において、広告メッセージは、特定の種類の機器の機能またはアプリケーション（例えば、特定のマーケットを対象とする広告）にリンクされてもよい。図7に示されるように、広告は、任意の適切な数のカテゴリ700a〜700eに従って分類されてもよい。広告の各カテゴリは、端末400の対応するアイコン710a〜104eと関連付けられてもよい。一例において、これらのカテゴリは、音楽700a、スポーツ700b、ゴルフ700c、および衣服700dを含んでもよい。これらのカテゴリは、音楽プレーヤアイコン710a、スポーツトレーナーアイコン710b、ゴルフアイコン710c、衣料品店アイコン710dとそれぞれ関連付けられてもよい。例えば、音楽CD用の広告が端末400において受信されてもよい（図5を参照）。広告情報または広告メッセージに関連する情報がユーザに表示または提示されてもよい（ブロック650、図8B）。これらの広告は、例えば、モバイル端末400の音楽プレーヤ機能またはビデオプレーヤ機能等の、対応する機器の機能またはアプリケーションにリンクされてもよい。音楽プレーヤまたはビデオプレーヤが、端末400の「メディア」機能から見ることができるようになっていてもよい。図5に示されるように、広告情報569は、「メディア」アイコン上に表示されてもよい。図5において、広告コンテンツのインジケータは、アイコン上に示されるが、代替実施形態において、広告情報の任意の適切なコンテンツが、表示されてもよい。別の例において、広告は、ユーザが出席する会議に関連してもよい。ここで、広告情報580は、端末400の「オーガナイザ」機能のテキスト上に位置してもよい。
【００３６】
広告情報は、広告のダウンロード時、機器の機能またはアプリケーションの作動時、ユーザによる要求時等の任意の適切な時間に表示されてもよい。一例において、図8Aに示されるように、機器の機能600が作動されると、インジケータ610等の広告情報が、販売しているCDまたはDVDについてユーザに報告する。また、ユーザは、広告メッセージに関連する追加の広告情報620を閲覧するオプションを提示されてもよい（ブロック660、図8B）。再び図5を参照すると、追加の情報を表示する際に、広告オプション510、520がユーザに提示されてもよい。これらのオプションは、例えば、端末400のキーによって、またはタッチスクリーンをタッチすること等によって、任意の適切な方式でユーザに提示されてもよい。広告オプションは、例えば、広告に関するさらなる情報の入手、広告主への連絡、広告製品または広告サービスの注文、追加の広告情報の表示停止等の任意の適切なオプションであってもよい。広告オプション510、520は、ソフトキー432、431等の端末400のキーに関連付けられ得る広告に関するカスタム機能であってもよい。代替実施形態において、タッチスクリーンディスプレイ上の任意の適切なキーまたはセクション（機器がこれを備える場合）が、広告オプションに関連付けられてもよい。広告オプション510、520によって、例えば、広告が提示する提供物に関するさらなる情報を得るためにウェブページを開くか、または広告主に電話して、ユーザは、追加の広告情報620に反応することが可能になり得る。代替実施形態において、広告に関連する任意の適切な機能は、ソフトキーに関連付けられてもよい。これらの広告オプションは、直接通信回線を開始してもよく、または広告会社に連絡をとってもよい。ユーザが、追加の広告情報620を閲覧しないことを選択する場合、広告情報610は、ディスプレイ420から削除されてもよい（ブロック665、図8B）。
【００３７】
ある実施形態において、モバイル端末のユーザは、例えば、アイコン469等のアイコンまたはリンクを介して、端末400の音楽プレーヤ等の機器の機能600を選択または作動してもよい。広告メッセージ（1つまたは複数）に関連する広告情報610（例えば、インジケータまたはプレビュー）が、例えば、所定期間（例えば、プレビュー期間）の間、機器400のディスプレイ420上に表示されてもよい。この所定の期間は任意の適切な方式で設定されてもよい。例えば、この所定の期間はユーザにより定義可能であってもよく、または端末400が受信またはダウンロードする広告情報の一部において特定されるものであってもよい。図9は、端末400が受信しうるメッセージ910〜940の略図を示す。他の実施形態において、このメッセージは、任意の適切なコンテンツおよび形式を有する任意の適切なメッセージであってもよい。部分901はメッセージの種類を示してもよく、この場合、メッセージの種類は広告メッセージである。部分902は広告メッセージの種類を示してもよい。部分903は広告のカテゴリまたはコンテクストを示してもよく、部分904は、端末400のユーザに広告が表示される時間の長さを示してもよい。例えば、メッセージ910は、3秒間表示される音楽カテゴリに関連付けられるCD/DVD用の広告を示す。メッセージ920は、2秒間程ユーザに表示される無線カテゴリに関連付けられるテレビチャンネル用の無線広告等を示す。ユーザは、モバイル端末400のソフトキー432、431あるいはその他の任意の適切なキーを使用して、広告情報610を選択するか、または、例えば、追加の広告情報620を表示するモバイル端末の機能を作動してもよい。ユーザがプレビュー期間内に広告情報610を選択しない場合、端末400は、いかなる広告も含まないディスプレイ630をユーザに提示してもよい。
【００３８】
ユーザが広告情報610を選択する場合、ディスプレイ420上に追加の広告情報620が表示されてもよい。追加の広告情報620が表示されると、ユーザは、例えば、ソフトキー432、431を使用して、上述のように追加の広告情報620に関連付けられるカスタム機能を選択することにより、広告提供物に関するさらなる情報を入手してもよい（ブロック680、図8B）。代替実施形態において、任意の適切なキーまたはタッチスクリーンディスプレイ上で押すこと（機器がこれを備える場合）を利用して、広告表示用の広告機能を作動してもよい。追加の広告情報620は、所定の時間（例えば、広告期間）の間だけ表示されるようにされてもよい。ユーザが、例えば、ソフトキー432、431を介して広告に関するさらなる情報を要求しない場合、ディスプレイ430は、いかなる広告も含まずに提示されうる（ブロック690、図8B）。
【００３９】
別の実施形態において、広告情報または広告情報の一部は、例えば、任意の適切なイベントの発生時に、端末400によって自動的に表示されてもよい。イベントには、広告のダウンロード、キーパッド上でキーを押すこと、通話またはメッセージの受信、アイドルモードからの端末の作動等が含まれてもよい。広告または広告の一部の表示を自動的にトリガするイベントは、設定メニューによってユーザにより定義可能であってもよく、製造中に予め設定されてもよく、あるいはそれらの組み合わせであってもよい。さらにその他の実施形態において、広告に関連する情報は、遅延後に表示されてもよい。遅延は、ユーザにより設定可能であってもよく、広告メッセージにおいて定義されてもよく、またはシステム管理者（例えば、モバイル通信オペレータ、ウェブサイトオペレータ等）によって設定されてもよい。代替実施形態において、遅延は、任意の適切な方式で特定されてもよい。
【００４０】
上述のように、モバイル端末400のユーザインターフェースは、インジケータまたは広告情報の任意の適切な部分が機器上に表示される時間を、ユーザが定義できるように設定メニューを含んでもよい。また、本明細書に記載のユーザインターフェースのメニューは、広告の表示回数および表示する広告の種類を制御するためのユーザ設定を含んでもよい。例えば、ユーザは、各広告が、例えば３回表示されるように設定を調整してもよい。代替実施形態において、ユーザは、広告の特定の種類またはカテゴリが表示される回数を特定可能であってもよい。例えば、スポーツに関する広告は、3回表示される一方で、旅行に関する広告は一回表示されてもよい。また、ユーザは、特定の期間、広告が提示されるようにメニュー設定を調整してもよい。例えば、メニュー設定は、1:00p.m.から2:00p.mの間に全広告が表示されるように調整されてもよい。代替実施形態において、例えば、音楽CDまたはDVD関連の広告が1:00p.m.から2:00p.m.の間に表示され、無線関連広告が2:00p.m.から3:00p.m.の間に表示され、インターネット関連の広告が3:00p.mから4:00p.m.の間に表示され、テレビ関連の広告が4:00p.m.および5:00p.m.の間に表示されるように、設定を調整してもよい。その他の代替実施形態において、設定は、広告を特定の時間スロットに関連付けるように調整されてもよく、例えば、7:00p.mに開始するテレビ番組に関する広告は、その番組が開始時またはその直前にモバイル機器に表示されてもよい。その他の代替実施形態において、広告を表示する回数および広告を表示する期間は、モバイル機器の製造者によって、または例えば、モバイル通信オペレータまたはウェブサイトオペレータ等のシステム管理者によって、広告メッセージを介して設定されてもよい。
【００４１】
また、ユーザインターフェースは、広告の提示方法をユーザがカスタマイズ可能にするメニューも含んでもよい。例えば、ユーザは、広告情報の提示場所（例えば、広告が位置するアイコン、テキスト、画像等の上）を特定してもよく、またはユーザは、どの利用可能なカスタマイズ機能がソフトキー432、431に関連付けられ得るかを選択してもよい。
【００４２】
ここに開示される実施形態は、色々なコンピュータにおいて実行される上述の処理ステップや処理命令を内蔵するソフトウェアやコンピュータプログラムを含みうる。図10は、本発明の実行に使用されうる特徴を内蔵する典型的な装置1000の一実施形態に関するブロック図である。図示されるように、コンピュータシステム1002は別のコンピュータシステム1004にリンクされ、コンピュータ1002および1004は、情報を相互に送受信可能であるようにしてもよい。一実施形態において、コンピュータシステム1002は、ネットワーク1006と通信するように適合されるサーバコンピュータを含んでもよい。コンピュータシステム1002および1004は、例えば、モデム、配線接続、または光ファイバーリンクを含む任意の従来の方式でリンクされてもよい。一般的に、通信チャネル上で、またはISDN線のダイアルアップ接続によって典型的に送信される通信プロトコルを使用して、情報は、通信プロトコルを使用するコンピュータシステム1002および1004の両方に利用可能であってもよい。一般的に、コンピュータ1002および1004は、機械可読プログラムソースコードを具現化するプログラムストレージ機器を利用するように適合されてもよく、この機械可読プログラムソースコードは、コンピュータ1002および1004に本発明の方法ステップを実行させるように適合される。本発明の特徴を内蔵するプログラムストレージ機器を、光学、磁性、および/または電子技術を利用して本発明の手順および方法を実行する機械の部品として考案、作製、および使用してもよい。代替実施形態において、プログラムストレージ機器は、コンピュータにより読み取り可能かつ実行可能であるディスケットまたはコンピュータハードドライブ等の磁気媒体を含んでもよい。その他の代替実施形態において、プログラムストレージ機器には、光ディスクや読み出し専用メモリ（read-only-memory; ROM）、フレキシブルディスク、半導体材料およびチップが含まれてもよい。
【００４３】
コンピュータシステム1002および1004は、格納されるプログラムを実行するマイクロプロセッサも含んでもよい。コンピュータ1002は、情報およびデータを格納するために、そのプログラムストレージ機器上にデータストレージ機器1008を含んでもよい。本発明の特徴を内蔵する工程および方法ステップを内蔵するコンピュータプログラムまたはソフトウェアは、1つ以上のコンピュータ1002および1004におけるその他の従来のプログラムストレージ機器上における格納されてもよい。一実施形態において、コンピュータ1002および1004は、ユーザインターフェース1010と、本発明の特徴にアクセス可能であるディスプレイインターフェース1012とを含んでもよい。ユーザインターフェース1010およびディスプレイインターフェース1012は、システムへのクエリおよびコマンドの入力を可能にし、また、そのコマンドおよびクエリの結果を提示可能にする。
【００４４】
前述の説明は実施形態の単なる例証であることを理解されたい。当業者により実施形態を逸脱することなく種々の代替および修正を考案することが可能である。したがって、本実施形態は、添付の請求項の範囲内にある修正および変形等の全てを包含するように意図される。
【図１】
2010507815.tif 000003
【図２】
2010507815.tif 000004
【図３】
2010507815.tif 000005
【図４】
2010507815.tif 000006
【図５】
2010507815.tif 000007
【図６】
2010507815.tif 000008
【図７】
2010507815.tif 000009
【図８Ａ】
2010507815.tif 000010
【図８Ｂ】
2010507815.tif 000011
【図９】
2010507815.tif 000012
【図１０】
2010507815.tif 000013
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
プロセッサが、少なくとも１つのユーザインターフェース特徴をディスプレイ上に表示することと、
少なくとも１つの広告に関連する少なくとも第１の情報を受信することと、
前記少なくとも１つのユーザインターフェース特徴が前記ディスプレイ上で可視的である場合に、プロセッサが、前記少なくとも１つのユーザインターフェース特徴のうちの少なくとも１つの代わりに、前記少なくとも１つの広告に関連する前記少なくとも第１の情報を表示することと、
を含む、方法。
【請求項２】
前記少なくとも１つの広告に関連する少なくとも第２の情報を受信することをさらに含む、請求項１に記載の方法。
【請求項３】
前記第１および第２の情報は同時に受信される、請求項２に記載の方法。
【請求項４】
前記第２の情報は、前記第１の情報がユーザによって選択される場合に表示される、請求項２に記載の方法。
【請求項５】
前記第２の情報は、前記第１の情報の代わりに表示される、請求項４に記載の方法。
【請求項６】
前記第２の情報は、前記第１の情報とは独立して表示される、請求項４に記載の方法。
【請求項７】
前記少なくとも第１の情報のコンテクストを前記少なくとも１つのユーザインターフェース特徴のコンテクストに一致させることをさらに含み、前記少なくとも第１の情報は、前記一致する少なくとも１つのユーザインターフェース特徴の代わりに表示される、請求項１から６のいずれかに記載の方法。
【請求項８】
前記少なくとも１つのユーザインターフェース特徴は、アイコン、テキスト、グラフィックス、または記号を含む、請求項１から７のいずれかに記載の方法。
【請求項９】
前記少なくとも１つの広告に関連する前記第１の情報または第２の情報を、少なくとも１つの所定の期間の間表示することをさらに含み、その少なくとも１つの所定期間の間、ユーザは、前記少なくとも１つの広告に関連する情報を要求することができる、請求項１に記載の方法。
【請求項１０】
少なくとも１つのユーザインターフェース特徴を表示するように構成されるディスプレイと、
少なくとも１つの広告に関連する少なくとも第１の情報を受信するように構成される受信機と、
前記少なくとも１つのユーザインターフェース特徴が前記ディスプレイ上で可視的である場合に、前記少なくとも１つのユーザインターフェース特徴のうちの少なくとも１つの代わりに、前記少なくとも１つの広告に関連する前記少なくとも第１の情報を表示するように構成されるプロセッサと、
を備える、装置。
【請求項１１】
プログラマブル装置により実行されると、該プログラマブル装置に請求項１から９のいずれかに記載の方法を遂行させるように構成される、コンピュータプログラム。
【国際調査報告】
2010507815.tif 000014
2010507815.tif 000015
2010507815.tif 000016